(57)【要約】【課題】大型化せずに触指防止部とプリロック構造とを共に持たせることが可能なコネクタを提供する。【解決手段】雌コネクタ３は、雌端子１８と、雌端子収容部２８と、雌側の触指防止部３４とを備えて構成される。雌側の触指防止部３４は、雌端子収容部２８の間口３５の部分に設けられ、且つ、雄端子５の挿入に伴い開口３６が拡径するような状態になり、且つ、この状態の際に開口３６の中心に向けて付勢する力が生じるような部分に構成される。一方、雄コネクタ２は、電気接触部８の中間部に凹部１１を有する雄端子５を備えて構成される。雄端子５の凹部１１は、雌端子１８に対し雄端子５が接触する前の位置で雌側の触指防止部３４の開口３６が挿抜自在に嵌るような部分に形成される。【選択図】図１
2020087580.tif 000002
【特許請求の範囲】
【請求項１】
雌端子収容部の間口部分に設けられ、且つ、雄端子の挿入に伴い開口が拡径するような状態になり、且つ、該状態の際に前記開口の中心に向けて付勢する力が生じる、触指防止部を備えるとともに、
前記雄端子が雌端子に対し接触する前の位置で前記開口が挿抜自在に嵌る凹部を前記雄端子に有する
ことを特徴とするコネクタ。
【請求項２】
請求項１に記載のコネクタにおいて、
前記触指防止部は、前記開口の前記中心に向けて変位する複数の部材を有してなる
ことを特徴とするコネクタ。
【請求項３】
請求項１に記載のコネクタにおいて、
前記触指防止部は、前記開口が形成された弾性部材を有してなる
ことを特徴とするコネクタ。
【請求項４】
請求項１、２又は３に記載のコネクタにおいて、
前記凹部は、端子軸回りに全周に形成され、且つ、断面視略Ｖ字状に形成される
ことを特徴とするコネクタ。
【請求項５】
雌端子収容部の間口部分に設けられ、且つ、雄端子の挿入に伴い開口が拡径するような状態になり、且つ、該状態の際に前記開口の中心に向けて付勢する力が生じる、雌側の触指防止部を備えるとともに、
前記雄端子の一部として設けられ、且つ、前記雄端子が雌端子に対し接触する前の位置で前記開口が挿抜自在に嵌る凹部を有する、雄側の触指防止部を備える
ことを特徴とするコネクタ。
【請求項６】
雌コネクタは、雌端子収容部の間口部分に雌側の触指防止部を備え、
雄コネクタは、雄端子の一部として雄側の触指防止部を備え、
前記雌側の触指防止部及び前記雄側の触指防止部は、これらが嵌合すると前記雌コネクタ及び前記雄コネクタがプリロックポジションとなる構造をそれぞれ有する
ことを特徴とするコネクタ。
【発明の詳細な説明】
【技術分野】
【０００１】
本発明は、触指防止部及びプリロック構造を有するコネクタに関する。
【背景技術】
【０００２】
従来の高圧コネクタにおいては、例えば作業者の指が端子に触れてしまわないようにするために触指防止部が設けられる。下記特許文献１に開示された高圧コネクタは、電気自動車等に用いられる充電コネクタであって、雄端子に対する触指防止部は、雄端子の端子軸方向に沿って移動するような構造を有する。雄コネクタ及び雌コネクタは、これらのコネクタ嵌合の際に、雌コネクタのハウジングが雄端子用の上記触指防止部を押し込み、これに伴って露出した雄端子が雌端子に接続されるような構造のものになる。
【先行技術文献】
【特許文献】
【０００３】
【特許文献１】特開２０１４−５３１２７号公報
【発明の概要】
【発明が解決しようとする課題】
【０００４】
高圧コネクタに対しては、プリロック構造を持たせるという要求仕様がある。プリロック構造とは、コネクタ嵌合時において、雌端子に対し雄端子が接触する前に物理的に負荷荷重を必要とするような仕様にするための構造のことである。上記仕様を満足させるために、通常のコネクタ嵌合に用いられるロック構造（例えばロッキングアームと係止孔によるロック構造など）とは別のロック構造を、雄コネクタハウジング及び雌コネクタハウジングにそれぞれ設けることを考えてみたが、コネクタ体格が大きくなってしまうという問題点を有する。尚、上記特許文献１の高圧コネクタにおいては、プリロック構造が存在していない。
【０００５】
本発明は、上記した事情に鑑みてなされたもので、大型化せずに触指防止部とプリロック構造とを共に持たせることが可能なコネクタの提供を課題とする。
【課題を解決するための手段】
【０００６】
上記課題を解決するためになされた請求項１に記載の本発明のコネクタは、次のことを特徴とする。すなわち、雌端子収容部の間口部分に設けられ、且つ、雄端子の挿入に伴い開口が拡径するような状態になり、且つ、該状態の際に前記開口の中心に向けて付勢する力が生じる、触指防止部を備えるとともに、前記雄端子が雌端子に対し接触する前の位置で前記開口が挿抜自在に嵌る凹部を前記雄端子に有することを特徴とする。
【０００７】
このような請求項１の特徴を有する本発明によれば、コネクタ嵌合の際に、触指防止部の開口が雄端子の凹部に嵌る構造であることから、コネクタ嵌合を進める上では、凹部から開口を離脱させるだけの押し込みが必要になる。従って、本発明によれば、雄端子が雌端子に対し接触する前に物理的に負荷荷重を掛けることができる。また、本発明によれば、プリロック構造を触指防止部に持たせることができる。雌コネクタにおいては、触指防止部とプリロック構造とを別々に持つようなものではない。本発明によれば、大型化せずに触指防止部とプリロック構造とを共に持たせることができるという効果を奏する。
【０００８】
請求項２に記載の本発明は、請求項１に記載のコネクタにおいて、前記触指防止部は、前記開口の前記中心に向けて変位する複数の部材を有してなることを特徴とする。
【０００９】
このような請求項２の特徴を有する本発明によれば、雌コネクタにおけるプリロック構造を触指防止部に一緒に持たせるにあたり、開口の中心に向けて変位する複数の部材を有することが有効であり、これを提供することができるという効果を奏する。
【００１０】
請求項３に記載の本発明は、請求項１に記載のコネクタにおいて、前記触指防止部は、前記開口が形成された弾性部材を有してなることを特徴とする。
【００１１】
このような請求項３の特徴を有する本発明によれば、雌コネクタにおけるプリロック構造を触指防止部に一緒に持たせるにあたり、開口が形成された弾性部材を有することが有効であり、これを提供することができるという効果を奏する。
【００１２】
請求項４に記載の本発明は、請求項１、２又は３に記載のコネクタにおいて、前記凹部は、端子軸回りに全周に形成され、且つ、断面視略Ｖ字状に形成されることを特徴とする。
【００１３】
このような請求項４の特徴を有する本発明によれば、雄端子におけるプリロック構造として凹部が形成され、そして、この凹部は断面視略Ｖ字状で環状に形成されることから、雌コネクタの触指防止部における開口の挿抜がスムーズになり、物理的に掛ける負荷荷重は過大になることはない。従って、本発明によれば、プリロック構造を持たせても、コネクタ嵌合に係る作業性を良好にすることができるという効果を奏する。
【００１４】
また、上記課題を解決するためになされた請求項５に記載の本発明のコネクタは、次のことを特徴とする。すなわち、雌端子収容部の間口部分に設けられ、且つ、雄端子の挿入に伴い開口が拡径するような状態になり、且つ、該状態の際に前記開口の中心に向けて付勢する力が生じる、雌側の触指防止部を備えるとともに、前記雄端子の一部として設けられ、且つ、前記雄端子が雌端子に対し接触する前の位置で前記開口が挿抜自在に嵌る凹部を有する、雄側の触指防止部を備えることを特徴とする。
【００１５】
このような請求項５の特徴を有する本発明によれば、コネクタ嵌合の際に、雌側の触指防止部の開口が、雄側の触指防止部の凹部に嵌る構造であることから、上記同様、雄端子が雌端子に対し接触する前に物理的に負荷荷重を掛けることができる。また、本発明によれば、雌コネクタ及び雄コネクタにおいて、プリロック構造をそれぞれの触指防止部に持たせることができるようになる。雌コネクタ及び雄コネクタにおいては、触指防止部とプリロック構造とを別々の構造で持つようなものではない。本発明によれば、大型化せずに触指防止部とプリロック構造とを共に持たせることができるという効果を奏する。
【００１６】
また、上記課題を解決するためになされた請求項６に記載の本発明のコネクタは、次のことを特徴とする。すなわち、雌コネクタは、雌端子収容部の間口部分に雌側の触指防止部を備え、雄コネクタは、雄端子の一部として雄側の触指防止部を備え、前記雌側の触指防止部及び前記雄側の触指防止部は、これらが嵌合すると前記雌コネクタ及び前記雄コネクタがプリロックポジションとなる構造をそれぞれ有することを特徴とする。
【００１７】
このような請求項６の特徴を有する本発明によれば、プリロック構造を雌コネクタ及び雄コネクタのそれぞれの触指防止部に持たせることができ、以て大型化防止を図ることができるという効果を奏する。
【発明の効果】
【００１８】
本発明のコネクタによれば、大型化せずに触指防止部とプリロック構造とを共に持たせることができるという効果を奏する。
【図面の簡単な説明】
【００１９】
【図１】本発明のコネクタの一実施形態に係り、雄コネクタと雌コネクタとのコネクタ嵌合前の状態を示す断面図である（実施例１）。
【図２】コネクタ嵌合途中のプリロックポジションでの状態を示す断面図である。
【図３】コネクタ嵌合後の状態を示す断面図である。
【図４】雌側の触指防止部におけるプリロック構造（ばねタイプ）を示す図であり、（ａ）は構成図、（ｂ）はＡ−Ａ線断面図である。
【図５】（ａ）は図４の開口が拡径した状態を示す図、（ｂ）はＢ−Ｂ線断面図である。
【図６】雌側の触指防止部におけるプリロック構造（ゴムタイプ）を示す図であり、（ａ）は構成図、（ｂ）はＣ−Ｃ線断面図である。
【図７】（ａ）は図６の開口が拡径した状態を示す図、（ｂ）はＤ−Ｄ線断面図である。
【図８】雌側の触指防止部におけるプリロック構造（絞りばねタイプ）を示す図であり、（ａ）は構成図、（ｂ）はＥ−Ｅ線断面図である。
【図９】（ａ）は図８の開口が拡径した状態を示す図、（ｂ）はＦ−Ｆ線断面図である。
【図１０】雌側の触指防止部におけるプリロック構造（スライドタイプ）を示す図であり、（ａ）は構成図、（ｂ）はＧ−Ｇ線断面図である。
【図１１】（ａ）は図１０の開口が拡径した状態を示す図、（ｂ）はＨ−Ｈ線断面図である。
【図１２】本発明のコネクタの他の実施形態に係り、雄コネクタと雌コネクタとのコネクタ嵌合前の状態を示す断面図である（実施例２）。
【発明を実施するための形態】
【００２０】
雌コネクタは、雌端子と、雌端子収容部と、触指防止部とを備えて構成される。触指防止部は、雌端子収容部の間口部分に設けられ、且つ、雄端子の挿入に伴い開口が拡径するような状態になり、且つ、この状態の際に開口の中心に向けて付勢する力が生じるような部分に構成される。一方、雄コネクタは、電気接触部の中間部に凹部を有する雄端子を備えて構成される。雄端子の凹部は、雌端子に対し雄端子が接触する前の位置で触指防止部の開口が挿抜自在に嵌るような部分に形成される。
【実施例１】
【００２１】
以下、図面を参照しながら実施例１を説明する。図１は本発明のコネクタの一実施形態に係り、雄コネクタと雌コネクタとのコネクタ嵌合前の状態を示す断面図である。また、図２はコネクタ嵌合途中のプリロックポジションでの状態を示す断面図、図３はコネクタ嵌合後の状態を示す断面図、図４〜図１１は雌側の触指防止部におけるプリロック構造を示す各タイプの図である。
【００２２】
＜コネクタ１について＞
図１ないし図３において、電気的な接続を行うコネクタ１は、雄コネクタ２と、雌コネクタ３とを備えて構成される。本実施例の各図で示すコネクタ１は、例えば電気自動車やハイブリッド自動車、自動運転車両などに搭載されるモーターに対し電力を供給するバッテリーを充電するための充電コネクタを簡略化したものである。又は、高電圧のワイヤハーネスの端末に設けられる高圧コネクタを簡略化したものである。尚、コネクタ１は自動車用のものに限らないものとする。コネクタ１は、プリロック構造４（後述する雄側のプリロック構造７及び雌側のプリロック構造２０を総称するもの）を持たせたものである。
【００２３】
＜雄コネクタ２について＞
図１ないし図３において、雄コネクタ２は、導電性を有する金属製の雄端子５と、絶縁性を有する樹脂製の雄コネクタハウジング６とを備えて構成される。また、雄コネクタ２は、雄側のプリロック構造７も備えて構成される。雄コネクタ２は、本実施例１において、雄側のプリロック構造７を備える点が特徴になる。
【００２４】
＜雄端子５について＞
図１ないし図３において、雄端子５は、電気接触部８と、電線接続部９と、被保持部１０とを有して図示形状に形成される（形状は一例であるものとする）。雄端子５は、本実施例１において一つのみ図示されるが、実際には複数あるものとする。雄端子５は、電気的な接続を直接的に行うための部材として備えられる。雄端子５は、この表面にメッキが施されているものとする。電気接触部８は、後述する雌端子１８に挿入されて電気的に接触する部分に形成される。電気接触部８は、この中間及び基端部分が丸ピン形状に形成される。また、電気接触部８の先端側は、略砲弾形状に形成される。このような電気接触部８には、雄側のプリロック構造７（後述する）が設けられる。電線接続部９は、図示しない電線端末との接続部分として形成される。本実施例１の電線接続部９は、電線端末から露出した導体を加締めにて接続（圧着接続若しくは溶着）することができるような部分に形成される。電線接続部９は、電気接触部８よりも大径に形成される。被保持部１０は、電気接触部８及び電線接続部９の間に配置形成される。被保持部１０は、雄コネクタハウジング６に対し保持される部分であって、電気接触部８の基端部分に連続するハウジング挿通部（符号省略）と、電線接続部９の基端部分に連続するフランジ部（符号省略）とを有して段付き形状に形成される。
【００２５】
＜雄側のプリロック構造７について＞
図１ないし図１１において、雄側のプリロック構造７は、雄コネクタ２の特徴部分であって、雄端子５の電気接触部８に配設される。もう少し具体的に配置を説明すると、電気接触部８の先端側の略砲弾形状から丸ピン形状に変わってすぐの部分（雄端子５の中間部）に配設される。雄側のプリロック構造７は、後述する雌側のプリロック構造２０の開口３６が挿抜自在に嵌るような凹部１１を有する。この凹部１１は、雄端子５の端子軸回りに全周にわたり形成される。また、凹部１１は、断面視略Ｖ字状に形成される。凹部１１は、開口３６が挿抜自在に嵌るようにするため、図示のような斜面を有する形状に形成される。尚、斜面の角度や凹部１１の深さを調整することにより、後述する負荷荷重を変えることができるのは勿論である。凹部１１は、一つ形成される。凹部１１は、端子軸に直交する面の位置に環状に形成される。尚、雄側のプリロック構造７は、後述する実施例２の場合、位置や形状は同じであるが、雄側の触指防止部５０（図１２）に配設されるものになる。
【００２６】
＜雄コネクタハウジング６について＞
図１ないし図３において、雄コネクタハウジング６は、樹脂成形品であって、雄端子収容部１２と、内側フード部１３と、外側フード部１４と、ハウジング後部１５とを有して図示形状に形成される。雄コネクタハウジング６は、コネクタ嵌合の際に、雌コネクタ３の後述する雌コネクタハウジング１９に嵌合する部材として、また、複数の雄端子５を端子同士及び外部から絶縁するための部材として備えられる。雄コネクタハウジング６は、雌コネクタハウジング１９との嵌合側が筒状となる部分に形成される。
【００２７】
＜雄端子収容部１２について＞
図１ないし図３において、雄端子収容部１２は、雄端子５を収容保持する部分に形成される。具体的には、電気接触部８の基端部分に連続するハウジング挿通部（符号省略）を保持し、電線接続部９の基端部分に連続するフランジ部（符号省略）が突き当たり、電線接続部９が内部に位置するような部分に形成される。尚、雄端子５の電気接触部８は、壁１６を貫通して内側フード部１３に突出する。
【００２８】
＜内側フード部１３及び外側フード部１４について＞
図１ないし図３において、内側フード部１３は、この内部に雄端子５の電気接触部８が突出する部分に形成される。また、内側フード部１３は、この前端が開口して雌コネクタ３の後述する雌端子収容部２８が挿入される部分に形成される。外側フード部１４は、所定の間隔をあけて内側フード部１３を囲むような部分に形成される。また、外側フード部１４は、雌コネクタ３の後述するフード部２９が挿入される部分に形成される。内側フード部１３と外側フード部１４との間の奥部１７は、コネクタ嵌合において、フード部２９の先端が当接する部分に形成される。尚、外側フード部１４には、コネクタ嵌合におけるロック構造としての雄側のロック部（図示省略）が形成される。ロック構造としては、例えば雌コネクタ３のロッキングアーム及び雄コネクタ２の係止孔が該当するものとする。
【００２９】
＜雌コネクタ３について＞
図１ないし図３において、雌コネクタ３は、導電性を有する金属製の雌端子１８と、絶縁性を有する樹脂製の雌コネクタハウジング１９とを備えて構成される。また、雌コネクタ３は、雌側のプリロック構造２０も備えて構成される。雌コネクタ３は、本実施例１において、雌側のプリロック構造２０を後述する雌側の触指防止部３４に一体化させるようにして備える点が特徴になる。
【００３０】
＜雌端子１８について＞
図１ないし図３において、雌端子１８は、電気接触部２１と、電線接続部２２と、被保持部２３とを有して図示形状に形成される（形状は一例であるものとする）。雌端子１８は、本実施例１において一つのみ図示されるが、実際には雄端子５の数に合わせて複数あるものとする。雌端子１８は、電気的な接続を直接的に行うための部材として備えられる。雌端子１８は、この表面にメッキが施されているものとする。電気接触部２１は、雄端子５の電気接触部８が挿入されて電気的に接触する部分に形成される。電気接触部２１は、複数のスリット２４と、複数の弾性接触片２５とを有して、すり割り形状に形成される。弾性接触片２５の先端側には、雄端子５の電気接触部８に対するガイド部２６と、同じく電気接触部８に対する接点２７とが形成される。弾性接触片２５は、電気接触部２１の基端部分から接点２７に向けて内側に傾斜する円弧状の板片に形成される。電線接続部２２は、図示しない電線端末との接続部分として形成される。本実施例の電線接続部２２は、電線端末から露出した導体を加締めにて接続（圧着接続若しくは溶着）することができるような部分に形成される。電線接続部２２は、電気接触部２１の基端部分よりも若干小径に形成される。被保持部２３は、電気接触部２１及び電線接続部２２の間に配置形成される。被保持部２３は、雌コネクタハウジング１９に対し保持される部分であって、電気接触部２１の基端部分に連続するハウジング挿通部（符号省略）と、電線接続部２２の基端部分に連続するフランジ部（符号省略）とを有して段付き形状に形成される。
【００３１】
＜雌コネクタハウジング１９について＞
図１ないし図３において、雌コネクタハウジング１９は、樹脂成形品であって、雌端子収容部２８と、フード部２９と、ハウジング後部３０とを有して図示形状に形成される。雌コネクタハウジング１９は、コネクタ嵌合の際に、雄コネクタ２の雄コネクタハウジング６に嵌合する部材として、また、複数の雌端子１８を端子同士及び外部から絶縁するための部材として備えられる。雌コネクタハウジング１９（フード部２９）は、雄コネクタハウジング６との嵌合側が筒状となる部分に形成される。
【００３２】
＜雌端子収容部２８について＞
図１ないし図３において、雌端子収容部２８は、雌端子１８を収容保持する部分に形成される。具体的には、電気接触部２１を収容する第一収容部３１と、電線接続部２２を収容する第二収容部３２と、これらの間に配置される端子保持部３３とを有する図示の部分に形成される。第一収容部３１は、この先端が雌側の触指防止部３４となるように形成される。雌側の触指防止部３４は、例えば作業者の指が雌端子１８に触れてしまわないようにするための部分である。雌側の触指防止部３４は、本実施例１において、第一収容部３１の先端の部分全体が該当する。第一収容部３１の先端には（雌側の触指防止部３４には）、間口３５が形成される。間口３５は、雄端子５の電気接触部８が挿入される（通過する）孔形状の部分に形成される。このような間口３５には、雌側のプリロック構造２０（後述する）が一体化するように配設される。雌端子収容部２８は、電気接触部２１の基端部分に連続するハウジング挿通部（符号省略）を端子保持部３３にて保持し、電線接続部２２の基端部分に連続するフランジ部（符号省略）が端子保持部３３に突き当たり、電気接触部２１及び電線接続部２２が第一収容部３１及び第二収容部３２の内部に位置するような部分に形成される。
【００３３】
＜フード部２９について＞
図１ないし図３において、フード部２９は、所定の間隔をあけて雌端子収容部２８を囲むような部分に形成される。また、フード部２９は、雄コネクタ２の内側フード部１３及び外側フード部１４の間に差し込まれ、先端が雄コネクタ２の奥部１７に当接するような部分に形成される。フード部２９は、第一収容部３１の先端（雌側の触指防止部３４）よりも突出する部分に形成される。尚、フード部２９には、コネクタ嵌合におけるロック構造としての雌側のロック部（図示省略。例えば上記ロッキングアームが該当）が形成される。
【００３４】
＜雌側のプリロック構造２０について＞
図１ないし図１１において、雌側のプリロック構造２０は、雌コネクタ３の特徴部分であって、上記の如く、雌側の触指防止部３４（雌端子収容部２８の先端）の間口３５に配設される。雌側のプリロック構造２０は、円形の開口３６を有し、この開口３６が雄端子５の電気接触部８の挿入に伴い拡径するような状態になり、且つ、拡径する状態の際には、開口３６の中心に向けて付勢する力が生じるような部分に形成される。雌側のプリロック構造２０は、開口３６の縁部が雄側のプリロック構造７の凹部１１に対し挿抜自在に嵌るような、断面視略Ｖ字状の凸部分に形成される。雌側のプリロック構造２０は、雌側の触指防止部３４に一つ配設される。以下、図４ないし図１１を参照しながら、雌側のプリロック構造２０の具体例について、四つのタイプをそれぞれ説明する。
【００３５】
＜ばねタイプの雌側のプリロック構造２０について＞
図４及び図５において、ここでの雌側のプリロック構造２０は、ばねタイプのものである。以下、雌側のプリロック構造２０を「ばねタイプ」と略記するものとする。ばねタイプは、雌側の触指防止部３４（図１ないし図３参照）に固定される四つの固定部材３７と、間口３５（図１ないし図３参照）において出没するような四つの可動部材３８と、一端が固定部材３７に固定され且つ他端が可動部材３８に固定される四つのコイルスプリング３９とを備えて構成される。固定部材３７、可動部材３８、及びコイルスプリング３９は、本実施例１において、９０度ピッチで配置される。尚、例えば１２０度ピッチで配置されるような三つずつの構成であってもよいものとする。ばねタイプは、雄端子５が挿入されると、これに伴い開口３６が拡径するような状態になり、且つ、この拡径の状態の際には、開口３６の中心に向けて付勢する力が生じるようなものになる。開口３６における引用符号４０は、円弧部を示すものとする。円弧部４０（開口３６）は、断面視Ｖ字状の凸部分に形成される。四つの可動部材３８は、開口３６の中心に向けて変位するような部材になる。
【００３６】
＜ゴムタイプの雌側のプリロック構造２０について＞
図６及び図７において、ここでの雌側のプリロック構造２０は、ゴムタイプのものである。以下、雌側のプリロック構造２０を「ゴムタイプ」と略記するものとする。ゴムタイプは、この全体が弾性を有するゴム製（又はエラストマー製）のもの（弾性部材）であって、雌側の触指防止部３４（図１ないし図３参照）に固定される円周形状の固定部４１と、間口３５（図１ないし図３参照）において出没するような弾性可動部４２と、開口３６とを有して図示形状に形成される。開口３６は、断面視Ｖ字状の凸部分に形成される。ゴムタイプは、雄端子５が挿入されると、これに伴い開口３６が拡径するような状態になり、且つ、この拡径の状態の際には、開口３６の中心に向けて付勢する力が生じるようなものになる。弾性可動部４２は、開口３６の中心に向けて変位するような部分になる。
【００３７】
＜絞りばねタイプの雌側のプリロック構造２０について＞
図８及び図９において、ここでの雌側のプリロック構造２０は、絞りばねタイプのものである。以下、雌側のプリロック構造２０を「絞りばねタイプ」と略記するものとする。絞りばねタイプは、雌側の触指防止部３４（図１ないし図３参照）に固定される環状固定部材４３と、間口３５（図１ないし図３参照）において出没するような複数の可動部材からなる絞りばね４４と、開口３６とを備えて構成される。絞りばねタイプは、雄端子５が挿入されると、これに伴い開口３６が拡径するような状態になり、且つ、この拡径の状態の際には、開口３６の中心に向けて付勢する力が生じるようなものになる。開口３６における引用符号４５は、凸部を示すものとする。凸部４５は、断面視Ｖ字状の部分に形成される。複数の可動部材からなる絞りばね４４は、開口３６の中心に向けて変位するような部材である。絞りばね４４は、カメラのシャッターの絞りのような状態で変位する部材である。
【００３８】
＜スライドタイプの雌側のプリロック構造２０について＞
図１０及び図１１において、ここでの雌側のプリロック構造２０は、スライドタイプのものである。以下、雌側のプリロック構造２０を「スライドタイプ」と略記するものとする。スライドタイプは、例えば上記「ばねタイプ」を変形したものであって、雌側の触指防止部３４（図１ないし図３参照）に固定される二つの固定部材（ここでは図示を省略するが、図４及び図５の固定部材３７が参考になる）と、間口３５（図１ないし図３参照）において出没するような二つのスライド可動部材４６と、一端が上記固定部材に固定され且つ他端がスライド可動部材４６に固定される二つのコイルスプリング（ここでは図示を省略するが、図４及び図５のコイルスプリング３９が参考になる）とを備えて構成される。尚、上記固定部材を用いず、二つのスライド可動部材４６の分割面４７の位置にコイルスプリングを配置するような構造のものであってもよいものとする。スライドタイプは、雄端子５が挿入されると、これに伴い開口３６が拡径するような状態になり、且つ、この拡径の状態の際には、開口３６の中心に向けて付勢する力が生じるようなものになる。開口３６における引用符号４８は、円弧部を示すものとする。円弧部４８（開口３６）は、断面視Ｖ字状の凸部分に形成される。二つのスライド可動部材４６は、開口３６の中心に向けて変位するような部材である。
【００３９】
＜プリロック構造４の作用について＞
図１において、プリロック構造４（雄側のプリロック構造７及び雌側のプリロック構造２０）は、雄コネクタ２及び雌コネクタ３がコネクタ嵌合前の状態であることから、こちらも嵌合前の状態であり、開口３６は拡径していない小径状態である。図２において、コネクタ嵌合が開始されこの嵌合途中状態になると、雄端子５の挿入に伴い開口３６が拡径する。そして、この後に付勢力にて開口３６が凹部１１に嵌り込むような状態になる。この時、雄コネクタ２及び雌コネクタ３（プリロック構造４）は、プリロックポジションに位置するような状態になる。すなわち、コネクタ嵌合の方向に負荷荷重を掛けないと、雌端子１８に向け雄端子５が移動しないような状態になる。図３において、負荷荷重を掛けると、開口３６が再び拡径して凹部１１から離脱し、この後に図３に示す如くコネクタ嵌合が完了する。コネクタ嵌合の状態では、雌端子１８の接点２７が雄端子５の電気接触部８に接触する。
【００４０】
＜コネクタ１の効果について＞
以上、図１ないし図１１を参照しながら説明してきたように、本発明の一実施形態であるコネクタ１によれば、コネクタ嵌合の際に、雌側の触指防止部３４における雌側のプリロック構造２０の開口３６が雄端子５の中間部の凹部１１に嵌る構造であることから、上記の如く、雄端子５が雌端子１８に対し接触する前に物理的に負荷荷重を掛けることができる。また、コネクタ１によれば、上記構造から分かるように、雌側のプリロック構造２０を雌側の触指防止部３４に持たせることができる。すなわち、雌コネクタ３においては、雌側の触指防止部３４と雌側のプリロック構造２０とを別々に持つようなものではない。従って、コネクタ１によれば、大型化せずに雌側の触指防止部３４と雌側のプリロック構造２０とを共に持たせることができるという効果を奏する。
【実施例２】
【００４１】
以下、図面を参照しながら実施例２を説明する。図１２は本発明のコネクタの他の実施形態に係り、雄コネクタと雌コネクタとのコネクタ嵌合前の状態を示す断面図である。尚、上記実施例１と基本的に同じ構成部材には同一の符号を付して詳細な説明を省略する。
【００４２】
＜コネクタ１について＞
図１２において、実施例２のコネクタ１は、実施例１と同様、雄コネクタ２と、雌コネクタ３とを備えて構成される。コネクタ１は、プリロック構造４（雄側のプリロック構造７及び雌側のプリロック構造２０を総称するもの）を持たせたものである。また、コネクタ１は、プリロック構造４を触指防止部４９（雌側の触指防止部３４及び後述する雄側の触指防止部５０を総称するもの）を持たせたものでもある。
【００４３】
＜雄側の触指防止部５０及び雄側のプリロック構造７について＞
図１２において、雄側の触指防止部５０は、絶縁性を有する樹脂成形品であって、雄端子５に配設される。ここで配置を図１の実施例１と比べると、実施例１の雄端子５における電気接触部８の先端部から中間部の一部になるような位置に雄側の触指防止部５０は配設される。雄側の触指防止部５０は、例えば作業者の指が雄端子５に触れてしまわないようにするための部分である。雄側の触指防止部５０は、略砲弾形状に形成される部分と、円柱形状に形成される部分と、電気接触部８に固定される部分とを有する（符号省略）。上記円柱形状に形成される部分には、雄側のプリロック構造７が配設される。雄側のプリロック構造７は、凹部１１を有する。
【００４４】
＜実施例２のコネクタ１の効果について＞
以上、図１２を参照しながら説明してきたように、本発明の他の実施形態であるコネクタ１によれば、コネクタ嵌合の際に、雌側の触指防止部３４における雌側のプリロック構造２０の開口３６が、雄側の触指防止部５０における雄側のプリロック構造７の凹部１１に嵌る構造であることから、実施例１と同様、雄端子５が雌端子１８に対し接触する前に物理的に負荷荷重を掛けることができる。また、コネクタ１によれば、上記構造から分かるように、雌側のプリロック構造２０を雌側の触指防止部３４に持たせるとともに、雄側のプリロック構造７も雄側の触指防止部５０に持たせることができる。すなわち、雌コネクタ３においては、雌側の触指防止部３４と雌側のプリロック構造２０とを別々に持つようなものではなく、また、雄コネクタ２においても、雄側の触指防止部５０と雄側のプリロック構造７とを別々に持つようなはのでもない。従って、実施例２も大型化しないコネクタ１にすることができるという効果を奏する。
【００４５】
この他、本発明は本発明の主旨を変えない範囲で種々変更実施可能なことは勿論である。
【符号の説明】
【００４６】
１…コネクタ、  ２…雄コネクタ、  ３…雌コネクタ、  ４…プリロック構造、  ５…雄端子、  ６…雄コネクタハウジング、  ７…雄側のプリロック構造、  ８…電気接触部、  ９…電線接続部、  １０…被保持部、  １１…凹部、  １２…雄端子収容部、  １３…内側フード部、  １４…外側フード部、  １５…ハウジング後部、  １６…壁、  １７…奥部、  １８…雌端子、  １９…雌コネクタハウジング、  ２０…雌側のプリロック構造、  ２１…電気接触部、  ２２…電線接続部、  ２３…被保持部、  ２４…スリット、  ２５…弾性接触片、  ２６…ガイド部、  ２７…接点、  ２８…雌端子収容部、  ２９…フード部、  ３０…ハウジング後部、  ３１…第一収容部、  ３２…第二収容部、  ３３…端子保持部、  ３４…雌側の触指防止部（触指防止部）、  ３５…間口、  ３６…開口、  ３７…固定部材、  ３８…可動部材、  ３９…コイルスプリング、  ４０…円弧部、  ４１…固定部、  ４２…弾性可動部、  ４３…環状固定部材、  ４４…絞りばね、  ４５…凸部、  ４６…スライド可動部材、  ４７…分割面、  ４８…円弧部、  ４９…触指防止部、  ５０…雄側の触指防止部
【図１】
2020087580.tif 000003
【図２】
2020087580.tif 000004
【図３】
2020087580.tif 000005
【図４】
2020087580.tif 000006
【図５】
2020087580.tif 000007
【図６】
2020087580.tif 000008
【図７】
2020087580.tif 000009
【図８】
2020087580.tif 000010
【図９】
2020087580.tif 000011
【図１０】
2020087580.tif 000012
【図１１】
2020087580.tif 000013
【図１２】
2020087580.tif 000014